(57)【特許請求の範囲】
【請求項１】
芯材からなる枠体と、前記枠体の室外側に設けられる外壁材と、前記枠体の室内側に設けられる無機面材と、前記枠体の内周面に取り付けられるとともに、周縁が折り曲げられて室外側が開口する断面コ字形状にされ、前記枠体の開口を塞ぐ防湿部材と、前記防湿部材の室外側に取り付けられる断熱材と、前記外壁材と枠体との間に設けられる透湿部材と、を備えて構成されていることを特徴とするパネル。
【請求項２】
請求項１に記載のパネルにおいて、前記外壁材と枠体との間には、下地面材が設けられていることを特徴とするパネル。
【請求項３】
請求項１または請求項２に記載のパネルにおいて、前記防湿部材は、透湿抵抗が３０（ｍ2 ・ｈｒ・ｍｍＨｇ／ｇ）以上３００（ｍ2 ・ｈｒ・ｍｍＨｇ／ｇ）以下であることを特徴とするパネル。
【請求項４】
請求項１ないし請求項３のいずれかに記載のパネルにおいて、前記断熱材はグラスウールであって、前記防湿部材に接着剤で貼り付けられていることを特徴とするパネル。
【発明の詳細な説明】
【０００１】
【発明の属する技術分野】
本発明は、パネルに関するものである。
【０００２】
【背景技術】
従来より、床パネル、天井パネル、壁パネル等の各種パネルを組み合わせて建てるパネル工法の建物が知られている。
このような建物の外壁は、図３に示すような壁パネル１を複数組み合わせることにより形成されている。
図３において、壁パネル１は、縦芯材１１Ａ、横芯材１１Ｂからなる枠体１１と、この枠体１１の室内外の両面に貼り付けられる合板等の下地面材１７と、室内側の下地面材１７に貼られる防湿シート１５Ａと、防湿シート１５Ａ上に取り付けられる石膏ボード等の面状部材１８と、室外側の下地面材１７に取り付けられるサイディング等の外壁材１２とを含んで構成されている。
また、室内側の面状部材１８には、図示略のビニールクロス等の内装材が貼られるようになっている。
【０００３】
さらに、二枚の下地面材１７間であって、縦芯材１１Ａ、横芯材１１Ｂで囲まれた部分には、図示しないグラスウール等の断熱材が介装されている。
また、防湿シート１５Ａは、壁パネル１内と室内との間での湿気の流通を防ぎ、結露を防止するように形成されている。
【０００４】
今後、このような壁パネル１のコストを低減するために、室内側に取り付けられている下地面材１７と面状部材１８とを、これら２つの機能を有する一枚の無機面材に替えて、壁パネル１の部品点数を削減させることが考えられている。
【０００５】
【発明が解決しようとする課題】
しかしながら、無機面材を用いると、下地面材と面状部材との間に介装されていた防湿シートを貼り付ける場所がなくなってしまう。仮に、無機面材の室内側に防湿シートを貼ると内装材を貼ることができなくなり、無機面材の室外側全面に貼ると、枠体と無機面材との間に防湿シートが介在されて接着強度が弱くなるという問題があった。
また、無機面材に枠体を取り付ける部分だけ残して防湿シートを貼り付けようとした場合、その貼り付ける部分の寸法に防湿シートの寸法が正確に合っていないと、枠体と防湿シートとの間に隙間が生じて防湿できなかったり、逆に防湿シートが大きくなって枠体と無機面材との間に介在され、枠体と無機面材とを取り付けることが難しいという問題もあった。
【０００６】
本発明の目的は、無機面材と枠体との接着強度を高めることができるとともに、防湿性を確保でき、部品点数を削減できて、組立作業も容易にできるパネルを提供することにある。
【０００７】
【課題を解決するための手段】
本発明は、図面を参照して説明すると、芯材（例えば、縦芯材１１Ａ、横芯材１１Ｂ等）からなる枠体１１と、前記枠体１１の室外側に設けられる外壁材（例えばサイディング１２等）と、前記枠体１１の室内側に設けられる無機面材１３と、前記枠体１１の内周面に取り付けられるとともに、周縁が折り曲げられて室外側が開口する断面コ字形状にされ、前記枠体１１の開口を塞ぐ防湿部材１５と、前記防湿部材１５の室外側に取り付けられる断熱材（例えばグラスウール１４等）と、前記外壁材と枠体１１との間に設けられる透湿部材１６と、を備えて構成されていることを特徴とする。
防湿部材１５は、室内と室外との間で湿気が流通しないように形成された、例えばポリエチレン系のフィルムである。
無機面材１３は、従来のパネル１に用いられていた下地面材と面状部材との機能を有する面材である。
【０００８】
パネル１としては、無機面材１３を用いることによって、従来に比べて部品点数を削減することができるので、パネル１のコストを低減することができる。
また、防湿部材１５は、枠体１１の内周面に取り付けられているので、枠体１１と無機面材１３との間に介在することがなく、枠体１１と無機面材１３との接着強度を高めることができる。
また、防湿部材１５は、枠体１１の内周面に例えば釘打ち等で取り付けられているので、枠体１１と防湿部材１５との間に隙間が生じることがなく、防湿性能を確保することができる。
さらに、防湿部材１５は、枠体１１の内周面に取り付けるので、無機面材１３の寸法に合わせて防湿部材１５を無機面材１３に貼る場合に比べて、防湿部材１５の寸法を高精度に形成する必要がなく、防湿部材１５の取付作業を容易にできる。
【０００９】
また、上記のように、前記防湿部材１５には、前記断熱材が取り付けられていることを特徴とする。
防湿部材１５に断熱材が取り付けられていれば、例えば、断熱材が移動したり変形することがなく、断熱材の形状を容易に保持することができ、所定の断熱性能を維持することができる。
また、防湿部材１５と断熱材とが一体化されていれば、枠体１１に防湿部材１５を取り付けるだけで断熱材の設置も行うことができるので、防湿部材１５および断熱材の取付作業が容易にでき、さらには、パネル１の組立作業も容易にできる。
【００１０】
また、上記のように、前記外壁材と枠体１１との間には、透湿部材１６が設けられていることを特徴とする。
透湿部材１６が設けられていれば、パネル１内に溜まった湿気を室外に容易に出すことができるので、パネル１内の結露を防ぐことができる。
【００１１】
また、前記外壁材と枠体１１との間には、下地面材（例えば合板１７）が設けられていることが好ましい。
特に下地面材を設ければ、さらに剛性の高いパネル１を形成することができる。
【００１２】
さらに、防湿部材１５としては、透湿抵抗が３０（ｍ2 ・ｈｒ・ｍｍＨｇ／ｇ）以上３００（ｍ2 ・ｈｒ・ｍｍＨｇ／ｇ）以下であることが望ましい。
透湿抵抗が大きいほど、室外と室内との間で湿気が流通することを防止できる。
また、例えば、寒地（例えば熊谷近辺）では透湿抵抗は３０（ｍ2 ・ｈｒ・ｍｍＨｇ／ｇ）程度の防湿部材１５が用いられ、酷寒の地（例えば盛岡近辺）では透湿抵抗は６０（ｍ2 ・ｈｒ・ｍｍＨｇ／ｇ）程度の防湿部材１５が用いられ、極寒の地（例えば帯広近辺）では、透湿抵抗は１５０〜３００（ｍ2 ・ｈｒ・ｍｍＨｇ／ｇ）程度の防湿部材１５が用いられる。
【００１３】
また、前記断熱材はグラスウールであって、前記防湿部材１５に接着剤で貼り付けられていることが好ましい。
特に、断熱材を防湿部材１５に接着剤（例えば、ホットメルト系の接着剤）で貼り付ければ、断熱材と防湿部材１５との接合強度をより強くすることができ、かつ、接着作業も容易にできる。
【００１４】
【発明の実施の形態】
以下に本発明の実施の形態を図面に基づいて説明する。
図１は、本発明の一実施形態を適用したパネル１を示す分解斜視図である。
また、図２には、パネル１の縦断面図が示されている。
パネル１は、縦芯材１１Ａ、横芯材１１Ｂからなる枠体１１と、その枠体１１の室外側に取り付けられた下地面材である合板１７、透湿部材１６および外壁材であるサイディング１２と、枠体１１の室内側に取り付けられた無機面材１３とを備えて構成されている。
さらに、前記枠体１１の内周面には、この枠体１１の室内側開口面を塞ぐように透湿抵抗１６０（ｍ2 ・ｈｒ・ｍｍＨｇ／ｇ）の防湿部材１５が取り付けられている。
この防湿部材１５は、ポリエチレン系のフィルムで形成されるとともに、周縁が折り曲げられて断面コ字形状にされ、その周縁が枠体１１の内周面に釘打ちで固定されている。
また、防湿部材１５には、断熱材であるグラスウール１４がホットメルト系の接着剤で貼り付けられている。
また、サイディング１２は、スラグセメント材等で形成された一般的なものである。
さらに、透湿部材１６は、防水性を有するシートで形成されている。
【００１５】
このように構成された本実施形態では、以下のような手順でパネル１を組み立てる。
まず、防湿部材１５にグラスウール１４をホットメルト系の接着剤で貼り付けておく。
そして、枠体１１を組み立て、この枠体１１の室内側となる面に無機面材１３を貼り付ける。
次に、グラスウール１４が貼り付けられた防湿部材１５を、枠体１１の室外側となる面から枠体１１内に挿入し、防湿部材１５を枠体１１の内周面に釘打ちで固定する。
この際、防湿部材１５は、枠体１１の室内側開口面を塞ぐように取り付ける。次に、枠体１１の室外側となる面に合板１７、透湿部材１６、サイディング１２を順に貼り付けていく。
これで、パネル１が完成する。
なお、パネル１の組立手順はこれに限らず、任意である。
【００１６】
このような本実施形態によれば、次のような効果が得られる。
パネル１としては、無機面材１３を用いることによって、従来に比べて部品点数を削減することができるので、パネル１のコストを低減することができる。
また、防湿部材１５は、枠体１１の内周面に取り付けられているので、枠体１１と無機面材１３との間に介在することがなく、枠体１１と無機面材１３との接着強度を高めることができる。
また、防湿部材１５は、枠体１１の内周面に釘打ち等で取り付けられているので、枠体１１と防湿部材１５との間に隙間が生じることがなく、防湿性能を確保することができる。
さらに、防湿部材１５は、枠体１１の内周面に取り付けるので、無機面材１３の寸法に合わせて防湿部材１５を無機面材１３に貼る場合に比べて、防湿部材１５の寸法を高精度に形成する必要がなく、防湿部材１５の取付作業を容易にできる。
【００１７】
防湿部材１５にグラスウール１４が取り付けられているので、例えば、グラスウール１４が移動したり、変形することがなく、グラスウール１４の形状を容易に保持することができ、所定の断熱性能を維持することができる。
また、防湿部材１５とグラスウール１４とが一体化されることによって、枠体１１に防湿部材１５を取り付けるだけでグラスウール１４の設置も行うことができるので、防湿部材１５およびグラスウール１４の取付作業が容易にでき、さらには、パネル１の組立作業も容易にできる。
【００１８】
また、枠体１１の室外側に透湿部材１６が取り付けられているので、パネル１内に溜まった湿気を室外に容易に出すことができ、パネル１内の結露を防ぐことができる。
【００１９】
また、特に合板１７を設ければ、さらに剛性の高いパネル１を形成することができる。
さらに、透湿抵抗が１６０（ｍ2 ・ｈｒ・ｍｍＨｇ／ｇ）の防湿部材１５を用いているので、透湿抵抗が３（ｍ2 ・ｈｒ・ｍｍＨｇ／ｇ）程度の無機面材１３を用いても室外と室内との間で湿気が流通することを防止できる。
【００２０】
また、特に、グラスウール１４を防湿部材１５にホットメルト系の接着剤で貼り付けることによって、グラスウール１４と防湿部材１５との接合強度をより強くでき、かつ、接着作業も容易にできる。
【００２１】
なお、本発明は前記実施の形態に限定されるものではなく、本発明の目的を達成できる他の構成等を含み、以下に示すような変形等も本発明に含まれる。
例えば、前記実施形態では、グラスウール１４は、防湿部材１５に取り付けられていたが、防湿部材１５に取り付けられていなくてもよく、例えば、グラスウール１４が枠体１１に取り付けられていてもよいし、枠体１１内に載置されているだけでもよい。
また、前記実施形態では、グラスウール１４は、ホットメルト系の接着剤で防湿部材１５に貼り付けられていたが、これに限らず、例えば両面テープ等を用いて防湿部材１５に貼り付けてもよい。
【００２２】
また、サイディング１２と枠体１１との間には、透湿部材１６が設けられていたが、必ずしも設けなくてもよく、仮に設ける場合でも透湿部材１６に代えて塩化ビニルシート等の防水性を有するシートを用いてもよい。
但し、透湿部材１６を設ければ、塩化ビニルシート等を用いる場合に比べて、より湿気を室外に排出することができる。
【００２３】
また、前記実施形態では、サイディング１２と枠体１１との間に合板１７が取り付けられていたが、本発明は、グラスウール１４が固定されていなかった従来に比べて、グラスウール１４が防湿部材１５に接着剤等で固定されているので、合板１７がグラスウール１４を支持する必要がなく、合板１７を取り付けなくてもよい。
【００２４】
また、前記実施形態では、グラスウール１４が貼り付けられた防湿部材１５は、枠体１１の内周面に釘打ちで固定されていたが、これに限らず、例えば、ビスや接着剤、テープ等で防湿部材１５を枠体１１の内周面に固定してもよい。
【００２５】
さらに、前記実施形態では、防湿部材１５が枠体１１の室内側開口面を塞ぐように取り付けられていたが、これに限らず、例えば、室外側開口面を塞ぐように取り付けてもよい。要するに枠体１１の内周面に取り付けられ、枠体１１の開口を塞いでいればよい。
【００２６】
【発明の効果】
以上に述べたように、本発明のパネルによれば、無機面材と、枠体の内周面に取り付けられ、前記枠体の開口を塞ぐ防湿部材と、前記枠体内に設けられた断熱材とを備えることによって、無機面材と枠体との接着強度を高めることができるとともに、防湿性を確保でき、部品点数を削減できて、組立作業も容易にできる。
【図面の簡単な説明】
【図１】本発明の一実施形態におけるパネルを示す分解斜視図である。
【図２】前記実施形態のパネルの縦断面図である。
【図３】従来のパネルを示す分解斜視図である。
【符号の説明】
１  パネル
１１  枠体
１２  外壁材であるサイディング
１３  無機面材
１４  断熱材であるグラスウール
１５  防湿部材
１６  透湿部材
１７  下地面材である合板
【図１】
0003797737.tif 000002
【図２】
0003797737.tif 000003
【図３】
0003797737.tif 000004